【事件の表示】
　平成　１年特許願第３１６０８５号「画像処理装置」拒絶査定に対する審判事件［平成　３年　７月３０日出願公開、特開平　３−１７５８９４］について、次のとおり審決する。
【結　論】
　本件審判の請求は、成り立たない。
【理　由】
（手続の経緯・本願発明）
　本願は、平成１年１２月５日の出願であって、その請求項１に係る発明（以下「本願発明」という。）は、平成１２年３月３１日付け手続補正書により補正された明細書および図面の記載からみて、特許請求の範囲の請求項１に記載された次のとおりのものと認める。
「第１の映像信号を入力する手段と、
　前記第１の映像信号に基づいて該映像信号の同期信号である第１の同期信号を決定し、
　該第１の同期信号に基づいて第１の映像信号を第１のメモリに記憶する手段と、
　第２の映像信号を入力する手段と、
　前記第２の映像信号に基づいて該映像信号の同期信号である第２の同期信号を決定し、
　該第２の同期信号に基づいて第２の映像信号を第２のメモリに記憶する手段と、
　前記第１及び第２の同期信号を含む他の信号とは独立し、装置内部で第３の同期信号を発生する手段と、
　前記第３の同期信号に基づいて、前記第１のメモリあるいは第２のメモリから映像信号を読み出す手段と、
　前記読み出されたいずれかの映像信号またはこれらを合成した映像信号を第３のメモリに記憶する手段と、
　該第３のメモリに記憶された映像信号の送出を行う手段と、
　を備えたことを特徴とする画像処理装置。」
　
（当審の拒絶理由）
　一方、当審において、平成１２年１月２７日付けで通知した拒絶の理由の概要は、本願発明は、本願の出願の日前に頒布された特公昭６０−３１３９１号公報（以下「刊行物１」という。）、および、特開昭４９−１２９４１９号公報（以下「刊行物２」という。）に記載された発明に基づいて、当業者が容易に発明をすることができたものであるから、特許法第２９条第２項の規定により特許を受けることができない、というものである。
　
（引用刊行物）
１　刊行物１には、複数画像画面合成装置に関し、
「従来、非同期の画像２入力信号画面合成装置は第１図の系統図に示すように、２入力信号１，１’のそれぞれを垂直及び水平方向共読出しタイミング基準信号１９に同期化するためのフレーム・シンクロナイザ装置２９，２９’２台と、ミツクスアンドキー増幅器装置３０より構成されていた。すなわち異種同期系入力テレビジヨン画像信号はビデオ信号入力端子１に入り、入力側ローパスフイルタ２で入力信号中の５．３５ＭＨｚ以上の周波数成分は帯域制限されてからアナログデジタル（Ａ／Ｄ）コンバータ４で周波数１０．７ＭＨｚでサンプリングされＰＣＭパラレルｎ＝（＝８）ビツトデータ５に変換される。さらに入力信号のカラーバーストに同期した書込クロツクパルス１２が書込クロツク発生器１１で作られさらに、入力信号の同期信号に同期した書込アドレス信号１４が書込アドレス発生器１３で作られる。そしてパラレルｎビツトデータ５の１フイールド期間の情報は、約２．４メガ・ビツトの容量のエラステイツク・デジタルメモリ６にそれぞれ書込アドレス信号１４によって決められた場所に書込まれる。
　一方読出しタイミング基準信号（カラーブラツク信号）１９のカラーバーストに同期した読出しクロツクパルス１２’が読出しクロツク発生器１１’で作られ、読出しタイミング基準信号１９の同期信号に同期した読出しアドレス信号１４’が読出しアドレス発生器１３’で作られる。そしてこれら読出しアドレス信号と読出しクロツクによりメモリ６内のＰＣＭデータが読出されＤ／Ａコンバータ８でＰＡＭ信号に変換され、出力側ローパスフイルタ２’で５．３５ＭＨｚ以上のスプリアスを除去することにより、読出しタイミング基準信号に同期した、すなわち同期変換されたテレビジヨン信号１０が得られる。」（２欄６行〜３欄１１行）
「同様にしてもう１つの異種同期系入力テレビジヨン画像信号１’も、別のフレームシンクロナイザ装置２９’に入り、フレームシンクロナイザ２９’から同期変換されたテレビジヨン信号１０’が得られる。２台のフレームシンクロナイザ２９，２９’から得られた出力信号１０，１０’はミツクスアンドキイア増幅器３０で合成され、合成出力信号３１が得られる。
　一方、第１図においてミツクス・アンド・キイア増幅器３０と、第２のフレーム・シンクロナイザ装置２９’中のＤ／Ａコンバータ８、読出し側ローパスフィルタ２’、読出しクロツク発生器１１’、読出しアドレス発生器１３’読出し側Ｈ／Ｖアドレス混合器を共有化し、第１図の装置よりは安価に提供しうる画面合成装置の系統を第２図に示す。第１図では２つの１フレーム・メモリ６，６’のそれぞれからＨ／Ｖ共に読出しタイミング基準信号に同期変換されて、アナログ信号に変換されてからミツクス・アンド・キイア増幅器３０で画面合成する装置であるのに対して、第２図では１フレーム・メモリをそれぞれ含む装置７７，７７’からＨ／Ｖ共に読出しタイミング基準信号に同期変換されたデジタル信号を、新らたに追加したデータ選択器３２及び信号選択制御器３３にて、画面合成し、それからアナログ信号に変換する装置である。」（４欄５〜３０行）
と記載されている。
２　また、刊行物２には、デイジタル化画像合成方式に関し、
「説明を簡単にするために本実施例において４つの同期信号周波数ｆｓ１〜ｆｓ４を持つたテレビジヨン信号入力ＴＳ１〜ＴＳ４から部分画像要素ＰＶＥ１〜ＰＶＥ４を要素とする合成画像ＤＣＯＭを作るものとする。第１図においてＤＳ１〜ＤＳ４はそれぞれ同期信号周波数ｆｓ１〜ｆｓ４を持つたテレビジヨン信号入力ＴＳ１〜ＴＳ４を共通の基準同期信号周波数ｆｓを持つた同期画像信号ＳＶＳ１〜ＳＶＳ４に変換するデイジタル方式変換装置あるいはデイジタル同期装置であつてその出力は出力選択回路およびバツフアメモリＳＥＬＢの所定部位に制御部ＣＴＲＬの制御信号ＣＳ１の制御のもとにデイジタル記憶される。ＦＭは１フイールド分の画素をデイジタルに記憶する１フイールドメモリで、制御部ＣＴＲＬの制御信号ＣＳ２の制御のもとに出力選択回路およびバツフアメモリＳＥＬＢからの部分画像要素ＰＶＥ１〜ＰＶＥ４を任意に配列合成して合成画像出力ＤＣＯＭをデイジタル出力として送出する。」（２頁左上欄１〜１９行）
と記載されている。
　
（対比）
　本願発明と、刊行物１に記載された複数画像画面合成装置に係る発明とを対比するに、刊行物１において、読出しタイミング基準信号１９（本願発明の「第３の同期信号」に相当する。）が２入力信号１，１’の同期信号を含む他の信号とは独立して発生されることは、当業者には明らかであるから、両者は、
「第１の映像信号を入力する手段と、
　前記第１の映像信号に基づいて該映像信号の同期信号である第１の同期信号を決定し、
　該第１の同期信号に基づいて第１の映像信号を第１のメモリに記憶する手段と、
　第２の映像信号を入力する手段と、
　前記第２の映像信号に基づいて該映像信号の同期信号である第２の同期信号を決定し、
　該第２の同期信号に基づいて第２の映像信号を第２のメモリに記憶する手段と、
　前記第１及び第２の同期信号を含む他の信号とは独立し、第３の同期信号を発生する手段と、
　前記第３の同期信号に基づいて、前記第１のメモリあるいは第２のメモリから映像信号を読み出す手段と、
　前記読み出されたいずれかの映像信号またはこれらを合成した映像信号の送出を行う手段と、
　を備えたことを特徴とする画像処理装置。」
である点で一致し、
(1)　本願発明では、第３の同期信号は装置内部で発生されるのに対し、刊行物１では、読出しタイミング基準信号１９がどこで発生されるか記載がない点（以下「相違点１」という。）
(2)　本願発明では、読み出されたいずれかの映像信号またはこれらを合成した映像信号を第３のメモリに記憶する手段を具備し、該第３のメモリに記憶された映像信号の送出を行う構成であるのに対し、刊行物１では、第３のメモリを具備していない点（以下「相違点２」という。）
で相違する。
　
（当審の判断）
１　相違点１について検討するに、機器の内部に発振器を設け、機器が必要とするタイミング基準信号を機器の内部で発生することは、映像機器の技術分野において周知の事項であり、刊行物１に記載された非同期の画像２入力信号画面合成装置において、読出しタイミング基準信号１９は、画面合成装置が必要とする信号であるから、この読出しタイミング基準信号１９を画面合成装置の内部で発生するように構成することは、当業者が容易に想到し得ることである。
２　相違点２について検討するに、複数の入力映像信号を合成した映像信号を得る際に、各入力映像信号を記憶するメモリの外に別のメモリを具備し、入力映像信号が記憶されたメモリから読み出した各映像信号を別のメモリに記憶し、この別のメモリに記憶された映像信号を読み出すことにより合成した映像信号を得ることは、刊行物２に記載されている。
　そして、刊行物１、２は、同期信号の異なる複数のテレビジョン画像を合成するという同一の技術分野に属するものであるから、刊行物１記載の発明に、刊行物２記載の入力映像信号を記憶するメモリの外に別のメモリ用いるという技術思想を適用し、本願発明の構成を得ることは、当業者が容易になし得ることである。
３　本願発明の奏する効果についてみても、刊行物１、２、および、上記周知事項から当業者が予測し得る程度のものであり、格別のものとはいえない。
　
（むすび）
　したがって、本願は、当審で通知した上記拒絶の理由によって拒絶すべきものである。
　よって、結論のとおり審決する。